(57)【要約】【課題】本発明は、防塵性を高めて信頼性を高め、且つ、小型化と組み立てやすさを実現するレンズ駆動装置収納構造を提供することを目的とする。【解決手段】上記目的を達成するため、レンズ群を光軸を揃えて保持するレンズ群保持枠と、当該レンズ群保持枠を駆動源を用いて光軸方向にスライド移動させるレンズ移動機構とを備えるレンズ駆動装置を収納するレンズ駆動装置収納構造であって、前記レンズ移動機構と、それに連結させる駆動源とを、レンズ群保持枠の光軸方向における側方に配置し、前記レンズ移動機構と駆動源との間に隔壁を設け、レンズ群保持枠を収容する領域をレンズ収納室として、レンズ群と駆動源とを分離配置したことを特徴とするレンズ駆動装置収納構造を採用した。【選択図】図１
2009251189.tif 000002
【特許請求の範囲】
【請求項１】
レンズ群を光軸を揃えて保持するレンズ群保持枠と、当該レンズ群保持枠を駆動源を用いて光軸方向にスライド移動させるレンズ移動機構とを備えるレンズ駆動装置を収納するレンズ駆動装置収納構造であって、
前記レンズ移動機構と、それに連結させる駆動源とを、レンズ群保持枠の光軸方向における側方に配置し、
前記レンズ移動機構と駆動源との間に隔壁を設け、レンズ群保持枠を収容する領域をレンズ収納室として、
レンズ群と駆動源とを分離配置したことを特徴とするレンズ駆動装置収納構造。
【請求項２】
レンズ群保持枠とレンズ移動機構とをレンズ収納室に収納し、
駆動源となるモーターを前記レンズ収納室の外方に近接配置し、
当該モーターが配置される側の前記レンズ収納室の壁面には、貫通孔である出力軸開口部が形成され、
前記レンズ移動機構に備え、モーターの駆動力をレンズ群保持枠に伝達する駆動伝達手段とモーターとが、出力軸開口部において接続された状態で、駆動源を隔離配置した請求項１に記載のレンズ駆動装置収納構造。
【請求項３】
前記隔壁に前記駆動源を固定するための駆動源固定用ボスを形成した請求項１又は請求項２に記載のレンズ駆動装置収納構造。
【請求項４】
前記隔壁に前記レンズ群保持枠の移動位置を検出する位置検出センサーを配置するための位置検出センサー開口部を備える請求項３に記載のレンズ駆動装置収納構造。
【請求項５】
前記隔壁に前記レンズ群保持枠の移動範囲を規制するためのメカストッパーを配置するためのメカストッパー取付部を備える請求項１〜請求項４のに記載のレンズ駆動装置収納構造。
【請求項６】
請求項１〜請求項５のいずれかに記載のレンズ駆動装置収納構造を用いたことを特徴とするレンズ駆動装置。
【発明の詳細な説明】
【技術分野】
【０００１】
本件発明は、レンズ群を光軸を揃えて保持するレンズ群保持枠と、当該レンズ群保持枠を駆動源を用いてスライド移動させるレンズ移動機構とを備えるレンズ駆動装置に関し、特に、その収納構造に関する。
【背景技術】
【０００２】
撮像装置の変倍光学系では、複数のレンズ群（ズームレンズ群、フォーカスレンズ群）を備え、それらが光軸方向にスライド移動してズーミングやフォーカシングを行う方式が多く採用されている。レンズ駆動装置は、このレンズ群を、それぞれレンズの光軸を揃えてレンズ保持枠に保持された状態で、光軸方向にスライド移動可能に直列配置し、駆動源を用いてレンズ群保持枠をスライド移動させる。レンズ群保持枠をスライド移動させる駆動源としてモーターが広く使用されている。そして、検出手段を用いてレンズ群保持枠の位置を検出し、レンズ群保持枠の位置に応じて、モーターの駆動を制御する機構を備え、レンズ群の位置を精密に制御している。
【０００３】
例えば、特許文献１には、ズーム用レンズ群である２群レンズが２群枠に保持され、フォーカス用レンズ群である３群レンズが３群枠に保持されており、２群枠を進退駆動する第１ステップモータと、３群枠を進退駆動する第２ステップモータとが、それぞれ２群枠ならびに３群枠の配設位置の左側であって、固定枠の第１の外壁である左側壁部内側に固定されるレンズ鏡筒が開示されている。このレンズ鏡筒では、保持枠の位置を検出するための検出手段を具備しており、モータユニットに設けられたモータ端子と検出手段とはフレキシブルプリント基板に接続されて制御されている。この特許文献１に開示の様に、レンズ駆動装置は、小型化、簡易構造とするために、駆動機構とレンズ群とを近接配置する。
【０００４】
【特許文献１】特開２００４−１３３０５４号公報
【特許文献２】特開２００６−２５１１９７号公報
【発明の開示】
【発明が解決しようとする課題】
【０００５】
上述の従来技術では、レンズ鏡筒内に塵埃が不可避的に侵入することがある。特にモーターは駆動によって熱が発生するので塵埃が付着しやすいが、特許文献２に開示の技術の様に駆動機構とレンズ群とが近接配置されると、モーターの稼働に伴ってレンズ群にも塵埃が付着しやすくなる。その結果、塵埃がレンズに付着して撮像性能に影響を及ぼしたり、駆動機構に埃が付着してレンズ群保持枠の動作不良が生じたりして、影響を与えるおそれがある。
【０００６】
この点について、沈胴式のレンズ鏡筒の場合、埃等の侵入しやすい隙間や鏡筒内部に異物除去機構を設ける例がある。沈胴式のレンズ鏡筒は、例えば、特許文献２に開示の撮像装置の様に、固定筒の内側に位置して固定筒の前端から光軸方向に摺動して出没する外筒及び内筒を備え、この外筒及び内筒にはそれぞれオートフォーカスレンズ群、ズームレンズ群が保持されている。そして、駆動モーターの駆動力をギアに伝達して外筒及び内筒を光軸方向に摺動させることによりズーミングやフォーカシングを行うために、外部に通じる僅かな隙間が形成されている。この摺動部の隙間からレンズ鏡筒内部に異物が侵入するのを防ぐべく、隙間部に粘着層を設けて異物を付着させている。
【０００７】
しかし、特許文献１に記載のような非沈胴式のレンズ鏡筒は、沈胴式のレンズ鏡筒に比べて小型化を図ることが出来る機構であることが利点である。加えて、レンズ群保持枠の位置を制御するための検出手段や制御手段を備えるためにレンズ駆動装置の機構が複雑になり、小型化を図る上で、構成部材のレイアウトが課題となっているので、異物除去機構を更に追加すると、小型レンズ鏡筒のレイアウトが難しくなる。
【０００８】
そこで、本発明は、防塵性を高めて信頼性を高め、且つ、小型化と組み立てやすさを実現するレンズ駆動装置収納構造を提供することを目的とする。
【課題を解決するための手段】
【０００９】
本発明者は、鋭意研究を行った結果、以下のレンズ駆動装置収納構造及びレンズ駆動装置を採用することで上記目的を達成するに到った。
【００１０】
本発明に係るレンズ駆動装置収納構造は、レンズ群を光軸を揃えて保持するレンズ群保持枠と、当該レンズ群保持枠を駆動源を用いて光軸方向にスライド移動させるレンズ移動機構とを備えるレンズ駆動装置を収納するレンズ駆動装置収納構造であって、前記レンズ移動機構と、それに連結させる駆動源とを、レンズ群保持枠の光軸方向における側方に配置し、前記レンズ移動機構と駆動源との間に隔壁を設け、レンズ群保持枠を収容する領域をレンズ収納室として、レンズ群と駆動源とを分離配置したことを特徴とする。
【００１１】
本発明に係るレンズ駆動装置収納構造は、レンズ群保持枠とレンズ移動機構とをレンズ収納室に収納し、駆動源となるモーターを前記レンズ収納室の外方に近接配置し、当該モーターが配置される側の前記レンズ収納室の壁面には、貫通孔である出力軸開口部が形成され、前記レンズ移動機構に備え、モーターの駆動力をレンズ群保持枠に伝達する駆動伝達手段とモーターとが、出力軸開口部において接続された状態で、駆動源を隔離配置したものがより好ましい。
【００１２】
本発明に係るレンズ駆動装置収納構造は、前記隔壁に前記駆動源を固定するための駆動源固定用ボスを形成したものがより好ましい。
【００１３】
本発明に係るレンズ駆動装置収納構造は、より好ましくは、前記隔壁に前記レンズ群保持枠の移動位置を検出する位置検出センサーを配置するための位置検出センサー開口部を備える。
【００１４】
本発明に係るレンズ駆動装置収納構造は、より好ましくは、前記隔壁に前記レンズ群保持枠の移動範囲を規制するためのメカストッパーを配置するためのメカストッパー取付部を備える。
【００１５】
本発明に係るレンズ駆動装置は、上述のレンズ駆動装置収納構造によりレンズ駆動装置が組み立てられたことを特徴とする。
【発明の効果】
【００１６】
本発明に係るレンズ駆動装置収納構造は、レンズ群保持枠と駆動源とを隔離収納することによりレンズ収納室内への塵埃の侵入を遮り、レンズやレンズ群保持枠の移動機構への塵埃の付着を防ぐことができる。この結果、信頼性の高いレンズ駆動装置を提供することができる。また、隔壁は、防塵効果の他に部品の位置決め、固定枠として兼用されるので、レンズ駆動装置の構成部材の連結精度を高めることができる。
を図ることができる。
【発明を実施するための最良の形態】
【００１７】
以下、本発明に係るレンズ駆動装置収納構造の最良の実施の形態に関して、図を参照しながら説明する。なお、本発明は図示した形態に制限されるものではない。
【００１８】
本発明に係るレンズ駆動装置収納構造は、レンズ群を光軸を揃えて保持するレンズ群保持枠と、当該レンズ群保持枠を駆動源を用いてスライド移動させるレンズ移動機構とを備えるレンズ駆動装置を収納する構造である。図１は、本発明に係るレンズ駆動装置の実施の形態を示す上面図であり、図２は、図１に示すレンズ駆動装置の斜視図である。図１及び図２に示すレンズ駆動装置１は、レンズ移動機構と、このレンズ移動機構の駆動源となるモーター３１，３２とを備える。本実施の形態のレンズ駆動装置１は、第１レンズ群保持枠４１，第２レンズ群保持枠４２を、第１モーター３１ならびに第２モーター３２を用いてそれぞれ独立してレンズの光軸Ｌに沿ってスライド移動させる。
【００１９】
レンズ移動機構２とは、レンズ群保持枠４１，４２と、ガイドポール５１，５２と、ガイド部６１，６２と、駆動伝達手段（ラック７１，７２、ピニオン８１，８２）とを主な構成部材とし、レンズ群保持枠４１，４２をスライド移動させる機構をいう。レンズ移動機構２は、二つのレンズ群保持枠（第１レンズ群保持枠４１，第２レンズ群保持枠４２）にそれぞれ撮像装置用のレンズ群を保持する。
【００２０】
撮像装置用のレンズ群とは、複数枚のレンズを組み合わせ、これらを光軸Ｌを揃えて配置したものであり、例えば、フォーカスレンズ、ズームレンズ等に用いられる。レンズ群保持枠４１，４２は、レンズ群を嵌め込むようにして固定し、レンズ鏡筒に備える固定レンズと光軸とが揃うようにレンズ群を保持する。したがって、ズームレンズやフォーカスレンズを保持するレンズ群保持枠をレンズの光軸Ｌ方向にスライド移動させることにより、光学ズーム機能やフォーカス機能を発揮することができる。
【００２１】
本実施の形態におけるレンズ移動機構２では、レンズ群保持枠４１，４２の外縁には、光軸Ｌと平行に二本のガイドポール５が配置される。このガイドポール５１，５２にレンズ群保持枠４１，４２を係止させることにより、レンズ群保持枠４１，４２のスライド移動方向を規制しながら、レンズ群保持枠４１，４２を支持する。
【００２２】
第１レンズ群保持枠４１，第２レンズ群保持枠４２は、当該レンズ群保持枠４１，４２の外縁に、第１ガイド部材６１、第２ガイド部材６２をそれぞれ連結している。ガイド部材６１，６２はガイドポール５１，５２が挿通可能なスリーブを備える管状形状をなし、スリーブにそれぞれガイドポール５１，５２が挿入されることによって、レンズ群保持枠４１，４２がスライド移動可能にガイドポール５１，５２に支持される。
【００２３】
また、レンズ群保持枠４１，４２は、ガイドポール５１，５２の他に、補助ガイドポール５３によって、スライド移動可能に支持させると、スライド移動によるレンズの光軸の微小なブレを防止することができる。この場合、レンズ群保持枠４１，４２の外縁には補助ガイドポール５３と係止する補助支持部４１１，４２１を備える。
【００２４】
駆動伝達手段は、駆動源からの運動を、光軸Ｌに沿うスライド移動方向への直線運動としてレンズ群保持枠４１，４２に伝達させる手段である。本実施の形態では、駆動伝達手段として、駆動源であるモーター３１，３２の出力軸３１ｂ，３２ｂに設けたピニオン８１，８２とレンズ群保持枠４１，４２側に備えるラック７１，７２とを採用した。すなわち、モーター３１，３２の回転する出力軸３１ｂ，３２ｂにピニオン８１，８２を取り付け、レンズ群保持枠４１，４２側に、ラック７１，７２をそれぞれ取り付ける。このピニオン８１，８２とラック７１，７２とが噛合することによって、モーター３１，３２の回転運動をレンズ群保持枠４１，４２のスライド移動方向への直線運動に変換して伝達させる。
【００２５】
モーター３１，３２はレンズ群保持枠をスライド移動させる駆動手段として使用する。モーター３１，３２は、出力軸方向の厚さが薄い扁平モーターを用いることが望ましい。本発明に係るレンズ駆動装置では、モーター３１，３２（駆動源）をレンズ群保持枠の光軸方向における側方に配置される。そして、本実施の形態では、当該モーター３１，３２の出力軸３１ｂ，３２ｂが、レンズ群保持枠のスライド移動方向（光軸Ｌ）に対して垂直な方向に配置される。したがって、扁平モーターを使用すると、モーター３１，３２の出力軸３１ｂ，３２ｂ方向の長さを短くすることができるので、レンズ駆動装置の小型化を図ることができ、レンズ鏡筒の幅方向の小型化を図る上で好適である。
【００２６】
本発明に係るレンズ駆動装置収納構造では、レンズ移動機構と、それに連結させる駆動源とを、レンズ群保持枠の光軸方向における側方に配置する。そして、レンズ移動機構と駆動源との間に隔壁を設け、レンズ群保持枠を収容する領域をレンズ収納室として、レンズ群と駆動源とを分離配置することを特徴とする。分離配置させる方法として、本実施の形態では、図３に示す筺体９を用いて、レンズ移動機構２はレンズ収納室９Ｓに収納し、レンズ収納室９Ｓの外方に駆動源となるモーター３１，３２を近接配置してレンズ移動機構２とモーター３１，３２とを隔離収納する方法を示す。
【００２７】
図３に示すように、筺体９は略直方体形状のものであり、樹脂や金属の成形体に穿設加工等を施して得られたものである。筺体９は、レンズ移動機構２を収納するレンズ収納室９Ｓと、被写体光束を曲折させるプリズム１０を収納するプリズム収納部９２とを光軸Ｌに沿って直列に備える。
【００２８】
レンズ収納室９Ｓは、被写体側の第１壁部９３と、像面側の第２壁部９４と、側壁となる第３壁部９１及び第４壁部９５と、底面９６とにより形成される。本実施の形態では、レンズ駆動装置の光軸方向における側方に、第３壁部９１（隔壁）を介してモーター３１，３２を並べて配置する構成とした。
【００２９】
なお、レンズ収納室９Ｓは、レンズ移動機構２を収納し、隔壁を介してモーター３１，３２と駆動伝達手段とが接続可能であれば良く、図３に示すような略直方体形状に限定されるものではく、円筒形状や、レンズ移動機構２の外形状に沿った特殊形状等であっても良い。また、レンズ駆動装置の小型軽量化を図るためには、駆動伝達手段等の各種機構は、レンズ群保持枠の側方に集約して配置することが好ましい。そこで、隔壁は、塵埃防止機能と、レンズ駆動装置の各種機構の取り付けや、それらの位置決めを行う機能とを兼ね備えるものとすると、より好ましい。この場合、レンズ群保持枠の光軸Ｌ方向におけるレンズ収納室９Ｓの側方の壁面（第３壁部９１）をレンズ移動機構２とモーター３１，３２との隔壁とする。そして、当該隔壁は、少なくともレンズ駆動装置の各種機構の取り付けや位置決め機能を発揮する部分は、光軸と平行となる位置において略平面となるように形成したものがより好ましい。こうすることにより、レンズ駆動装置のレイアウトの無駄を省き、収納室９Ｓの成形加工が容易となり、製造時は各種機構の位置決めや取り付けが容易となり、また、レンズ群保持枠の位置検出機能の精度が向上する。
【００３０】
第１壁部９３には、プリズム収納部９２が隣接配置され、レンズ移動機構２の端部を保持する保持開口部９３１が形成されている。この保持開口部９３１に、プリズム１０と、レンズ移動機構２の第１レンズ群保持枠４１側の端部とがそれぞれ載置される。プリズム収納部９２は、プリズム１０を収納した状態で、収納室９Ｓの第１壁部９３の外方からビス９２１で固定される。
【００３１】
第２壁部９４には、第２レンズ群保持枠４２の像面側に固定配置された固定レンズが挿入される固定レンズ挿入孔９４１が形成され、この固定レンズ挿入孔９４１の更に像面側には、固定レンズ収納部９７が形成される。
【００３２】
第３壁部９１は、レンズ移動機構２とモーター３１，３２とを隔てる壁となる。また、第３壁部９１には複数の開口が形成される。図４は、筺体９を第３壁部９１側からみた平面図である。第３壁部９１には、モーター３１，３２の出力軸３１ｂ，３２ｂを挿通させる出力軸開口部９１１と、モーター３１，３２を固定するモーター固定用ボス９１２と、位置検出センサー開口部９１３と、メカストッパー２４を係止する溝が形成されたメカストッパー取付部９１４とが開口として形成されている。
【００３３】
出力軸開口部９１１は、モーター３１，３２の駆動力をレンズ移動機構２に伝達する駆動力伝達手段とモーターの出力軸３１ｂ，３２ｂとを接続する貫通孔であり、当該出力軸開口部９１１において、モーターの出力軸３１ｂ，３２ｂと駆動力伝達手段とが接続される。
【００３４】
モーター固定用ボス９１２は、第３壁部９１の外面側に形成される有底開口であり、モーター３１，３２を設置位置に応じて、ボスが形成されている。モーター固定用ボス９１２によって、モーター３１，３２を位置決めするとともに、レンズ収納室９Ｓにモーター３１，３２を直接固定することができる。したがって、レンズ収納室９Ｓを介して、レンズ移動機構２とモーター３１，３２とが連結されるので、塵埃防止の他、レンズ移動機構２の構成部材のレイアウトを邪魔することなく、モーター３１，３２を設置することができる。位置検出センサー開口部９１３とメカストッパー取付部９１４は後述する。
【００３５】
第４壁部９５には、フレキシブルプリント基板（以下、「ＦＰＣ」と記す。）を、筺体９の内外に渡って配置するためのＦＰＣスリット９５１が形成されている。
【００３６】
なお、レンズ収納室９Ｓの壁部９１，９３，９４，９５には、上述の他にも各種部材を挿通、固定させる開口や、レンズ移動機構２に関わる各種部材を配置するスリットを適宜形成できる。また、開口部やスリットの位置、形状、大きさ等は、レンズ駆動装置の設計に応じて適宜設定できる。但し、防塵性を高めるためには、配置すべき構成部材の大きさに合わせて当該開口部やスリットの大きさを設定し、不要な隙間を抑える。
【００３７】
次に、レンズ駆動装置１の組み立て方法について説明する。まず、レンズ移動機構２をレンズ収納室９Ｓに配置する。なお、図３に示す筺体９の斜視図では、筺体９を説明するためにレンズ収納室９Ｓにプリズム収納部９２を取り付けた状態を示しているが、取り付ける手順は、レンズ移動機構２をレンズ収納室９Ｓに配置した後、プリズム１０を配置したプリズム収納部９２を、レンズ収納室９Ｓにビス９１２で固定する。
【００３８】
最初に、第２レンズ群保持枠４２の像面側に連接させた固定レンズを、レンズ収納室９Ｓの固定レンズ挿入孔９４１に挿入して嵌め込み、これと同時にガイドポール５１，５２及び補助ガイドポール５３をそれぞれガイドポール挿入孔９４２に挿入する。固定レンズとガイドポールを挿入配置後、レンズ移動機構２を、光軸Ｌ方向に押し込み、第１レンズ群保持枠４１の端部を、第１壁部９３の保持開口部９３１に当接させる。次に、プリズム収納部９２にプリズム１０を含むプリズムユニットを配置し、これをレンズ収納室９Ｓの第１壁部９３と当接させる。その後、レンズ移動機構２を、第１壁部９３側に少し引き戻すようにして、ガイドポール５１，５２及び補助ガイドポール５３の他端部を、第１壁部９３に形成されたガイドポール挿入孔９３２に挿入して、レンズ収納室９Ｓ内にレンズ移動機構２を組み付ける。次に、ビス９２１で第１壁部９３に固定する。この状態で、プリズム１０と、レンズ移動機構２に備えるレンズ群とは、光軸が揃うように位置決めされる。
【００３９】
次に、メカストッパー２４、反射センサー２１、モーター３１，３２を配置する。図５は、図１に示すレンズ駆動装置における第３壁部側の分解斜視図である。筺体９の第３壁部９１側の外方には、モーター３１，３２が配置され固定される。更に、第３壁部９１とモーター３１，３２との間には、反射センサー２１ならびにメカストッパー２４が配置される。
【００４０】
レンズ駆動装置１は、レンズ移動機構２及びモーター３１，３２の他に、位置検出手段２０を備える。位置検出手段は、反射パターン（不図示）と、反射センサー２１（位置検出センサー）と、センサー基板（不図示）とからなり、レンズ群保持枠４１，４２の位置を検出する。反射パターンはレンズ群保持枠４１，４２側に設ける。反射センサー２１は、筺体９の第３壁部９１に反射パターンと対向する位置に形成された位置検出センサー開口部９１３に配置され、当該反射センサー２１と接続するセンサー基板は、レンズ収納室９Ｓの外部に設置される。センサー基板において、反射センサーによって検出されたレンズ群保持枠４１，４２の位置情報に基づいてモーター３１，３２の動作を制御する。
【００４１】
反射センサー２１は、レンズ群保持枠４１，４２のスライド移動位置を検出するために、光軸方向からみてレンズ群保持枠４１，４２の側方に配置する。そのため、第３壁部９１（隔壁）に、反射センサー２１を配置する位置検出センサー開口部９１３を形成する。本実施の形態の様に、レンズ群保持枠４１，４２の近傍且つ光軸Ｌと平行となる位置に平面上の隔壁（第３壁部９１）を形成し、当該隔壁に位置検出センサーを取り付けると、光軸Ｌ方向にスライド移動するレンズ群保持枠４１，４２の移動位置を精度良く検出することができる。すなわち、レンズ群保持枠４１，４２の近傍且つ光軸Ｌと平行となる位置に隔壁（第３壁部９１）を配置し、少なくとも位置検出センサー開口部９１３が、各反射パターンと平行に対向可能な位置に形成されることが好ましい。
【００４２】
レンズ群保持枠４１，４２の位置は、位置検出手段を構成するセンサー基板によってその移動が制御されるが、ガイドポール５１，５２にスプリング２２を挿通させ、当該スプリング２２とガイド部材５１，５２とを当接させると、レンズ群保持枠４１，４２のスライド移動をより安定させることができる。すなわち、レンズ群保持枠２をスプリング２２によってスライド移動方向の一方側に付勢し、バックラッシやヒステリシスを減少させることができる。
【００４３】
また、モーター３１，３２からの駆動やスプリング２２の異常により、スライド移動が過剰となる場合に備えてストッパー機構を設ける。ストッパー機構は、レンズ群保持枠４１，４２側に備えるストッパー受け部２３と、レンズ収納室９Ｓ側に備えるメカストッパー２４とからなる。本実施の形態では、ストッパー受け部２３をガイド部材６１に設け、レンズ収納室９Ｓの隔壁（第３壁部９１）にレンズ群保持枠４１の移動範囲を規制するためのメカストッパー２４を備えた。
【００４４】
本実施の形態では、メカストッパー２４は、筺体９の第３壁部９１とは別の部品として用い、第３壁部９１に備えるメカストッパー取付部９１４にメカストッパー２４を配置する。
【００４５】
メカストッパー２４は、レンズ群保持枠４１のガイド部６１に設けられたストッパー受け部２３と当接可能な構成を備える。すなわち、メカストッパー２４は、略平板状の部材で、２カ所の端部が平板状の本体から同じ方向に略直角に折り曲げられて爪部を形成している。この二つの爪部のうちの一つは、ガイド部材に形成されるストッパー受け部２３と、ガイド部材６１の移動方向に垂直な面で当接可能な位置に形成される。残る一つの爪部はメカストッパー取付部９１４に係止させて、メカストッパー２４の係止状態を安定させるものである。
【００４６】
図１及び図６に示すように、第３壁部９１はメカストッパー２４の形状と厚さに合わせて凹部が形成されており、メカストッパー２４の二つの爪部は、それぞれ筺体９の第３壁部９１に形成されたメカストッパー取付部９１４に挿入され係止される。このとき、レンズ収納室９Ｓの第３壁部９１外面側において、メカストッパー２４が第３壁部９１と略面一となる。更に、この後、モーター３１，３２を固定することによって、メカストッパー２４は、第３壁部９１に係止されながら、モーター３１に押さえられて、固定される。当該ストッパー機構により、レンズ群保持枠４１のスライド移動の限界位置において、ストッパー受け部２３とメカストッパー２４とが当接することにより、それ以上過剰にスライド移動しないようにメカ的に規制することができる。
【００４７】
なお、本実施の形態では、メカストッパー２４を第３壁部９１のメカストッパー取付部９１４に係止して取り付ける構成としたが、これに限定されるものではなく、例えば、第３壁部９１の内側に直接メカストッパーが形成されるものでも良い。
【００４８】
モーター３１，３２を第３壁部９１に取り付ける前に、反射センサー２１を取り付ける。本実施の形態では、第３壁部９１の位置検出センサー開口部９１３は、反射センサー２１の形状に合わせて形成されており、レンズ収納室９Ｓの内面側の位置検出センサー開口部９１３の開口面積は、反射センサー２１の外枠の面積より小さくなっており、位置検出センサー開口部９１３に反射センサー２１を外側から嵌め込む。なお、第３壁部９１の厚さは、反射センサー２１の厚さより厚く設定しているので、位置検出センサー開口部９１３に嵌め込まれた反射センサー２１は、第３壁部９１に埋設された状態となる。
【００４９】
モーター３１，３２を、第３壁部９１に固定する。モーター３１，３２の出力軸３１ｂ，３２ｂには、それぞれピニオン８１，８２が挿入されて連結されている。最初に、このピニオン８１，８２を、第３壁部９１に形成された出力軸開口部９１１に位置合わせしてそれぞれ挿入し、モーター本体３１ａ，３２ａを第３壁部９１に当接させる。
【００５０】
ここで、モーター本体３１ａ，３２ａの第３壁部９１側の当接面には、位置決め用の凸部（不図示）が４カ所づつ形成されている。一方、第３壁部９１には、モーター３１，３２の取り付け位置をガイドするモーター位置決め用穴９１５１，９１５２が第１モーター３１，第２モーター３２の取り付け位置に合わせて、それぞれ４カ所づつ形成されている。モーター位置決め用穴９１５１，９１５２は、厚さ方向に貫通しない有底の凹部である。このモーター位置決め用穴９１５１，９１５２と、モーター本体３１ａ，３２ａの凸部とを当接させ、モーター３１，３２の第３壁部９１への取り付け位置を位置決めする。
【００５１】
次に、図５及び図６に示すように、モーター３１，３２を留め具２５で第３壁部９１に狭持する。モーター固定用ボス９１２は突出して形成されており、その突出長さは、モーター本体３１ａ，３２ａの厚さに対応している。留め具２５は、平板状の長尺部材であり、その両端部に、第３壁部９１に形成された２つのモーター固定用ボス９１２に合わせてワッシャーとして機能する開口が形成されている。この留め具２５の開口を、それぞれモーター固定用ボス９１２に位置合わせし、ビス２６で固定すると、当該留め具２５と第３壁部９１との間にモーター３１，３２が固定される。
【００５２】
本発明に係るレンズ駆動装置収納構造は、隔壁にモーター３１ａ，３２ａを固定するためのモーター固定用ボスを形成したことにより、モーターとレンズ移動機構との連結精度を高めることができる。モーター３１，３２は、駆動源である以上、微振動等によってモーター本体に動力が作用しやすいが、隔壁に設けたモーター固定用ボス９１２にモーターを固定することによって、モーター本体の微振動の影響によるモーターの出力軸のブレを押さえることができる。
【００５３】
本実施の形態では、留め具２５を用いて、モーター３１，３２を狭持して第３壁部９１に固定する方法を示したが、これに限定されるものではなく、モーター本体にワッシャー部を形成して直接、モーター固定用ボス９１２にビス止めする方法も考えられる。
【００５４】
なお、上述の組み立て工程において、ＦＰＣ等の基板や各種配線を適宜所定の位置に配置する。
【００５５】
本実施の形態では、扁平モーターを用い、駆動伝達手段は、この出力軸３１ｂ，３２ｂに連結したピニオンと、ラックとを採用したが、本発明はこれに限定されるものではなく、レンズ群保持枠の光軸方向における側方に配置されたレンズ移動機構２と駆動源であるモーターとが隔離収納されれば良い。例えば、ラックとピニオン以外の駆動伝達手段を用いる場合であっても、隔壁にモーターの出力軸を挿通させる出力軸開口部を形成すれば良い。
【００５６】
本発明に係るレンズ駆動装置収納構造は、レンズ収納室の一部を構成する隔壁（第３壁部）は、レンズ移動機構とモーターとの隔壁として用いるだけではなく、この隔壁にモーターと駆動伝達手段とを接続する貫通孔、位置検出手段、ストッパー機構等を備え、更に、モーターを固定するという複数の用途を兼ね備えている。このように、レンズ移動機構とモーターとを隔離収納することにより、防塵性に優れるだけでなく、位置決めしやすく、また、構成部材のレイアウトが行い易い。
【産業上の利用可能性】
【００５７】
本発明に係るレンズ駆動装置収納構造は、レンズ駆動装置のうち、駆動源を隔離収納できるので、防塵性に優れ、埃等が多い環境で使用するカメラ、測定機器等の撮像装置に好適に使用できる。
【図面の簡単な説明】
【００５８】
【図１】本発明に係るレンズ駆動装置収納構造を用いたレンズ駆動装置の実施の形態を示す平面図である。
【図２】図１に示すレンズ駆動装置の斜視図である。
【図３】図１に示すレンズ駆動装置の筺体を示す斜視図である。
【図４】図４に示す筺体を第３壁部側からみた側面図である。
【図５】図１に示すレンズ駆動装置における第３壁部側の分解斜視図である。
【図６】図１に示すレンズ駆動装置における第３壁部側からみた斜視図である。
【図７】図１に示すレンズ駆動装置のＡ−Ａ’線における断面図である。
【符号の説明】
【００５９】
１              レンズ駆動装置
２              レンズ移動機構
９Ｓ            レンズ収納室
２１            位置検出センサー（反射センサー）
２４            メカストッパー
４１，４２      レンズ群保持枠
３１，３２      モーター
３１ｂ，３２ｂ  出力軸
９１            隔壁（第３壁部）
９１１          出力軸開口部
９１２          モーター固定用ボス
９１３          位置検出センサー開口部
９１４          メカストッパー取付部
【図１】
2009251189.tif 000003
【図２】
2009251189.tif 000004
【図３】
2009251189.tif 000005
【図４】
2009251189.tif 000006
【図５】
2009251189.tif 000007
【図６】
2009251189.tif 000008
【図７】
2009251189.tif 000009